(57)【要約】      （修正有）【課題】被作動部品とマガジンが合わせて作動することで、マガジンが無ければ撃発不可能で、且つ電源節約という利点が得られ、マガジンの型式を問わずに使用可能な、トイガンの電源調節装置を提供する。【解決手段】主に、銃本体と、スイッチ部品２と、被作動部品３とからなる。このうち、銃本体には少なくとも一つの給電装置が設けられる。スイッチ部品２と給電装置は電気的に接続されるとともに、スイッチ部品２は電源触発部品２１を有する。更に、被作動部品３は、銃本体に枢設されるとともにスイッチ部品２の一側に位置し、且つ被作動部品３は主に、マガジンに押し動かされる接触部３１と、電源触発部品２１を押接する触発部３２とからなる。以上により、マガジンが銃本体に取付けられていない時には、触発部３２と電源触発部品２１は離れており、マガジンが銃本体に取り付けられた時には、触発部３２と電源触発部品２１が互いに当接する。【選択図】図３
0003206419.tif 000002
【実用新案登録請求の範囲】
【請求項１】
銃本体と、スイッチ部品と、被作動部品とからなる、トイガンの電源調節装置であって、
前記銃本体には、少なくとも一つの給電装置が設けられ、
前記スイッチ部品は、前記銃本体に設けられるとともに、前記給電装置と電気的に接続され、且つ前記スイッチ部品は、電源触発部品を有し、
前記被作動部品は、前記銃本体に枢設されるとともに前記スイッチ部品一側に位置し、且つ前記被作動部品は、マガジンによって押し動かされる接触部と、前記接触部一側に位置して前記電源触発部品を押接するための触発部とからなることを特徴とする、トイガンの電源調節装置。
【請求項２】
更に、前記給電装置は、前記銃本体のトリガーに合わせて作動することを特徴とする、請求項１に記載のトイガンの電源調節装置。
【請求項３】
更に、前記接触部は、前記マガジンと前記銃本体が結合される経路上に位置することを特徴とする、請求項１に記載のトイガンの電源調節装置。
【請求項４】
更に、前記被作動部品は、枢設部を含み、
前記枢設部は、前記接触部と前記触発部の間に位置するとともに、前記被作動部品が自由に揺動するように前記銃本体に枢設され、
且つ前記被作動部品には、弾性部品が連結されることを特徴とする、請求項１に記載のトイガンの電源調節装置。
【請求項５】
更に、前記銃本体と被作動部品の枢接部分には、位置決め部が区分けされて設けられ、
前記被作動部品上には、前記位置決め部と合わせて作動するためのストッパー部が区分けされて設けられることを特徴とする、請求項１に記載のトイガンの電源調節装置。
【考案の詳細な説明】
【技術分野】
【０００１】
本考案は、トイガンに関し、特に、どのような種類のマガジンであっても銃自体の電源スイッチを触発して導通或いは電源オフにすることが可能であり、且つマガジン型式が制限されない、トイガンの電源調節装置に関する。
【背景技術】
【０００２】
銃器は、国内において厳しく規制されている。一般に本物の銃弾が使用されるのは戦争や警察が犯罪者に対峙する場合のみであり、これらの場面に居合わせるのは警察や軍人といった特殊な身分を持つ者だけに限られる。よって、一般市民が銃撃戦の刺激を楽しめるように、銃撃戦を模したサバイバルゲーム用の銃が作られ、ここから多種多様なトイガンが作られるようになった。このようなトイガンは、一般的に、電動ガン・エアガン・高圧空気を動力源とするガスガンに分けられるとともに、ＢＢ弾を射出することが出来る。
【０００３】
このうち、前記トイガンは、一般に安全電源スイッチを備えている。この主な目的は、使用者がマガジン内のＢＢ弾が既に無くなっていることを知らずに、トリガーを引いて撃発動作を行い続けることで、電源を無駄にしてしまうという問題を防ぐことにある。
【０００４】
しかし、上述したトイガンは使用時において、下記の問題と欠陥が存在しており、改善が望まれる。
【０００５】
この種のトイガンには安全電源スイッチの技術が用いられているものの、この種の技術を実現するためにはモジュール化の方式を用いなければならず、仮に銃とマガジンがモジュール化されていない構造の場合には、電源に対するオン或はオフ動作を正常に行うことが出来ない。よって、使用者はシステム化されたモジュールトイガンをセットで購入しなければならず、コストが高くつくだけでなく、不便でもある。
【考案の概要】
【考案が解決しようとする課題】
【０００６】
よって、本考案は、スイッチ部品の電源触発部品と被作動部品の接触部及び触発部が合わせて作動することにより、マガジンの未結合時には、銃本体の撃発動作が不可能になり、マガジンの結合時には、銃本体の撃発動作が可能になり、これによりマガジンが無ければ撃発しないという利点が得られると同時に、効果的に節電して、電源の無駄を防ぐことが出来る、トイガンの電源調節装置を提供することを目的とする。
【課題を解決するための手段】
【０００７】
上述の目的を達成するために、本考案は、主に銃本体からなり、銃本体には少なくとも一つの給電装置が設けられるとともに、銃本体には更に給電装置と電気的に接続されたスイッチ部品が設けられ、且つ前記スイッチ部品は電源触発部品を有する。このほか、銃本体には、更に被作動部品が枢設される。被作動部品はスイッチ部品一側に位置するとともに、被作動部品は、マガジンによって押し動かされる接触部と、電源触発部品を押接する触発部とからなる。以上により、使用者がマガジンを銃本体に取付ける時、接触部が共に押し動かされて他方向へ移動することで、同時に触発部が動かされて電源触発部品に接触するとともに押接し、これによりスイッチ部品が導通して、給電装置が銃本体に対する給電を行う。よって、マガジンがあれば撃発可能になるという目的が達成される。加えて、マガジンが銃本体に取付けられていない時、触発部は電源触発部品を押接せず、電源触発部品が押圧されていない状態となるため、給電装置が給電を行うことは無い。よって、マガジンが無い場合は撃発不可能になるという利点が得られる。
【考案の効果】
【０００８】
以上の技術により、本考案は、従来のトイガンにおける問題点、即ち、実現するためにはモジュール化の方式を用いなければならず、仮に銃とマガジンがモジュール化されていない構造の場合には、電源に対するオン或はオフ動作を正常に行うことが出来ないため、使用者はシステム化されたモジュールトイガンをセットで購入しなければならず、コストが高くつくだけでなく、不便でもあるという問題点を解決して、上述した長所に基づく実用進歩性を達成することが出来る。
【図面の簡単な説明】
【０００９】
【図１】本考案の実施例を示した斜視図である。
【図２】本考案の実施例を示した斜視透視図である。
【図３】本考案の実施例を示した部分拡大図である。
【図４】本考案の実施例を示した部分分解図である。
【図４Ａ】本考案の実施例を示した部分概略図である。
【図５】本考案の実施例におけるマガジンの取付けを示した概略図１である。
【図６】本考案の実施例におけるマガジンの取付けを示した概略図２である。
【考案を実施するための形態】
【００１０】
図１・図２・図３・図４を参照する。図は、本考案の実施例を示した斜視図・斜視透視図・部分拡大図・部分分解図である。図に示したように、本考案は、銃本体１と、スイッチ部品２と、被作動部品３とからなる。
【００１１】
銃本体１には、少なくとも一つの給電装置が設けられるとともに、給電装置は銃本体１のトリガーに合わせて作動する。
【００１２】
スイッチ部品２は、銃本体１に設けられるとともに、前記給電装置と電気的に接続され、且つスイッチ部品２は、更に電源触発部品２１を有する。
【００１３】
被作動部品３は、銃本体１に枢設されるとともにスイッチ部品２一側に位置し、且つ被作動部品３は、マガジンによって押し動かされる接触部３１と、接触部３１一側に位置して電源触発部品２１を押接する触発部３２と、接触部３１と触発部３２の間に位置する枢設部３３とからなる。更に、被作動部品３は弾性部品６と連結され、これにより被作動部品３は往復回転の動作を行うことが可能になる。
【００１４】
加えて、接触部３１は、前記マガジンと銃本体１が結合される経路上に位置する。
【００１５】
図１・図２・図３・図４・図４Ａ・図５・図６を合わせて参照する。図は、本考案の実施例を示した斜視図・斜視透視図・部分拡大図・部分分解図・部分概略図・マガジンの取付けを示した概略図１・マガジンの取付けを示した概略図２である。まず、使用者がマガジン４を取付けていない時（図３を参照）、被作動部品３は弾性部品６の回転による弾性を受けて、一方向へ回転するとともに、被作動部品３上に区分けされたストッパー部３４を通して銃本体１の位置決め部１１と凹凸係合されて位置決めされることで、過度の回転が防止される。これにより、触発部３２が電源触発部品２１から離れるため、トリガー５が如何なる作用も生じ得なくなる。同時に、接触部３１の位置は、ちょうどマガジン４が銃本体１と結合される際の進行経路上にある。よって、使用者がマガジン４を銃本体１上に取付ける時（図５を参照）、接触部３１はマガジン４が銃本体１と結合される際の進行経路上に位置するため、マガジン４は接触部３１に接触した後、そのまま続けて被作動部品３全体を他方向へ回転させて押し動かし、これにより触発部３２が電源触発部品２１を押接することでスイッチ部品２がオンになって、給電装置が給電を行う。この時、使用者がトリガー５を押圧すれば、撃発動作が行われる。
【００１６】
また逆に、使用者がマガジン４を銃本体１から取出す時、弾性部品６の弾性による位置戻り機能によって、マガジン４が下方へ移動されると同時に、弾性によって生じた位置戻りの捻り力を通して、被作動部品３が電源触発部品２１から離れた方向へ反転する。更に被作動部品３は、マガジン４の下方移動量に従って反転程度が変化していくとともに、マガジン４が完全に被作動部品３の接触部３１から離脱された後、被作動部品３は、ストッパー部３４と位置決め部１１との掛け合わせによって位置決めされる。また触発部３２が電源触発部品２１から完全に離脱して、銃本体１は電源オフと同等の状態となる。これにより、使用者がマガジン４を取付けていない時には撃発不可能であり、マガジン４を取り付けて初めて撃発可能になるという利点が得られる。
【００１７】
このほか、銃本体１は、電動ガン・ガスガン・ペイントボールガン・エアガンの中のいずれか一つであることが可能である。即ち、電源を使用するトイガンであれば、いずれも本考案を運用することが可能であり、特定のトイガンの種類に限定されることがない。
【００１８】
全ての図を参照する。本考案は使用時、従来技術と比較して、下記の長所を備えている。
一、スイッチ部品２の電源触発部品２１と被作動部品３の接触部３１及び触発部３２が合わせて作動することにより、マガジン４の未結合時には、銃本体１の撃発動作が不可能になり、マガジン４の結合時には、銃本体１の撃発動作が可能になる。これにより、マガジン４が無ければ撃発しないという利点が得られる。
二、本考案は、スイッチ部品２とマガジン４が合わせて作動することにより、効果的に節電して、電源の無駄を防ぐことが出来る。
三、スイッチ部品２と被作動部品３はいずれも銃本体１内に設けられているため、マガジン４は型式を問わず、銃本体１と接して取付けられれば、電源をオン或いはオフにする機能を有することが可能である。よって、どのような型式のマガジン４であっても本考案の利点が得られる。
【符号の説明】
【００１９】
１    銃本体
１１    位置決め部
２    スイッチ部品
２１    電源触発部品
３    被作動部品
３１    接触部
３２    触発部
３３    枢設部
３４    ストッパー部
４    マガジン
５    トリガー
６    弾性部品
【図１】
0003206419.tif 000003
【図２】
0003206419.tif 000004
【図３】
0003206419.tif 000005
【図４】
0003206419.tif 000006
【図４Ａ】
0003206419.tif 000007
【図５】
0003206419.tif 000008
【図６】
0003206419.tif 000009